(57)【要約】【課題】複数のフィルム巻回物を備え得るようにしたものにおいて、フィルム巻回物のセットあるいは交換を簡単にできるようにする。【解決手段】装置本体１にはフィルム巻回物８、１０を回転可能に支持する複数の支持部７、９が設けられていると共に、やや前方にフィルム導出部１４が設けられている。支持部７、９に対応してフィルムガイド部１６、２５が設けられ、さらにフィルム導出部１４から導出されたフィルムを切断するカッタ１１と、被包装物に巻回されたフィルムをシールする熱盤１５とが設けられている。フィルムガイド部２５は、当該フィルムを保持したまま変位可能に構成されていて、その変位により、支持部７及びフィルムガイド部１６に対応するフィルム巻回物セット用空間を形成する構成としている。【選択図】  図１
2005008356.tif 000002
【特許請求の範囲】
【請求項１】
装置本体に設けられ、フィルム巻回物を回転可能に支持する複数の支持部と、
前記装置本体に設けられたフィルム導出部と、
前記複数の支持部に対応して設けられ、該複数の支持部に支持されたフィルム巻回物から引き出されたフィルムをそれぞれ前記フィルム導出部に導く複数のフィルムガイド部と、
このフィルム導出部から導出されたフィルムを切断するカッタと、
被包装物に巻回されたフィルムをシールする熱盤と
を備え、
前記少なくとも一つのフィルムガイド部を、当該フィルムを保持したまま変位可能に構成し、その変位により、他の支持部及びフィルムガイド部に対応するフィルム巻回物セット用空間を形成する構成としたことを特徴とする包装装置。
【請求項２】
装置本体の上面部に作業台が備えられ、
この作業台の下方部に一つの支持部が設けられ、
前記作業台の下方で且つ前記支持部の上方部に、別の支持部に対応するフィルムガイド部が設けられ、
このフィルムガイド部及び前記作業台が回動変位可能に構成されていることを特徴とする請求項１記載の包装装置。
【請求項３】
別の支持部が一つの支持部の後方に、前後に並ぶ形態に設けられていることを特徴とする請求項２記載の包装装置。
【請求項４】
フィルムガイド部は、当該フィルムガイド部にガイドされたフィルムを、一つの支持部に支持されたフィルム巻回物から隔離するための隔離部材を備えたことを特徴とする請求項２記載の包装装置。
【請求項５】
フィルムガイド部はフィルム引出端近くを戻り阻止状態に保持するフィルム戻り阻止手段を備えていることを特徴とする請求項１又は２記載の包装装置。
【請求項６】
フィルム戻り阻止手段は、フィルム戻り防止ローラと、このフィルム戻り防止ローラの一方向のみへの回転を許容するワンウエークラッチから構成されていることを特徴とする請求項５記載の包装装置。
【請求項７】
加熱室が設けられていることを特徴とする請求項１記載の包装装置。
【発明の詳細な説明】
【０００１】
【発明の属する技術分野】
本発明は、複数のフィルム巻回物を備えそのフィルム巻回物を択一的に使用する包装装置に関する。
【０００２】
【従来の技術】
従来より、包装装置には、複数のフィルム巻回物をそれぞれ支持部に支持させて、いずれかのフィルム巻回物のフィルムを選択してフィルム導出部からフィルムガイド部を通して導出し、そのフィルムにより食品トレーなどの被包装物を巻回し、カッタにて切断し、そのフィルム切断端部分を熱盤にてシールする構成のものがある（例えば特許文献１）。
【０００３】
【特許文献１】
特開２０００−１０４７８８号
【０００４】
【発明が解決しようとする課題】
しかし、上記従来のものでは、フィルム使用が済んだフィルム巻回物を取外す場合、あるいは、新たなフィルム巻回物を支持部に配置しガイド部に通す場合、つまり、フィルム巻回物をセットする場合に、他のフィルム巻回物が邪魔になったり、あるいはフィルム巻回物から導出されたフィルム（ガイド部を通されているフィルム）が邪魔になってしまい、結局、既にセットされている他のフィルム巻回物を取外したり、あるいは、ガイド部のフィルム部分を取外したりしなければならない問題があった。
【０００５】
本発明は上記事情に鑑みてなされたものであり、その目的は、複数のフィルム巻回物を備えそのフィルム巻回物を択一的に使用する包装装置において、新たにフィルム巻回物をセットする場合あるいは交換などする場合に、既にセットしてある別のフィルム巻回物及びフィルム引出部分を取外す面倒のない包装装置を提供するにある。
【０００６】
【課題を解決するための手段】
請求項１の発明は、装置本体に設けられ、フィルム巻回物を回転可能に支持する複数の支持部と、
前記装置本体に設けられたフィルム導出部と、
前記複数の支持部に対応して設けられ、該複数の支持部に支持されたフィルム巻回物から引き出されたフィルムをそれぞれ前記フィルム導出部に導く複数のフィルムガイド部と、
このフィルム導出部から導出されたフィルムを切断するカッタと、
被包装物に巻回されたフィルムをシールする熱盤と
を備え、
前記少なくとも一つのフィルムガイド部を、当該フィルムを保持したまま変位可能に構成し、その変位により、他の支持部及びフィルムガイド部に対応するフィルム巻回物セット用空間を形成する構成としたことを特徴とするものである。
【０００７】
フィルム巻回物を交換もしくは新たにセットする場合に、別のフィルム巻回物から引き出されたフィルム巻回物から引き出されたフィルムが邪魔になるものであり、この引き出されたフィルムはフィルムガイド部により導出されているから、請求項１によれば、フィルムガイド部を変位させて、フィルム巻回物セット用空間を形成する構成としたから、その空間を通して使用済みのフィルム巻回物の取り出し、あるいは新たなフィルム巻回物のセットを行うことができ、しかも、該フィルムガイド部は、フィルムを保持したまま変位するから、フィルムがフィルムガイド部から脱落することもなく、総じてフィルム巻回物の交換あるいはセットを他のフィルム巻回物及び引き出されたフィルムを取外すことなく簡単に行うことができる。
【０００８】
請求項２の発明は、装置本体の上面部に作業台が備えられ、
この作業台の下方部に一つの支持部が設けられ、
前記作業台の下方で且つ前記支持部の上方部に、別の支持部に対応するフィルムガイド部が設けられ、
このフィルムガイド部及び前記作業台が回動変位可能に構成されていることを特徴とするものである。
【０００９】
これによれば、被包装物の置き台などに使用される作業台が存在する場合に、この作業台の下方部に支持部を設けることにより、フィルム巻回物をデッドスペースとなりがちな作業台下方部にセットできて、コンパクト化を図り得る。しかも、この作業台とフィルムガイド部とを回動変位させることにより、フィルム巻回物セット用空間を良好に形成することができる。
【００１０】
この場合、請求項３の発明のように、別の支持部を一つの支持部の後方に、前後に並ぶ形態に設ける構成とすることにより、複数のフィルム巻回物を装着可能でありながら装置全体を平型にできて、コンパクト化が図れる。
【００１１】
請求項４の発明は、フィルムガイド部が、当該フィルムガイド部にガイドされたフィルムを、一つの支持部に支持されたフィルム巻回物から隔離するための隔離部材を備えたことを特徴とするものであり、これによれば、隔離部材により、フィルムガイド部にガイドされたフィルムが、フィルム巻回物に付着することを防止でき、特に、フィルムをフィルム巻回物のごく近くを通す場合に有効である。
【００１２】
請求項５の発明は、フィルムガイド部はフィルム引出端近くを戻り阻止状態に保持するフィルム戻り阻止手段を備えていることを特徴とするものであり、これによれば、フィルムガイド部におけるフィルムの戻りを阻止できて、フィルム保持が確実となる。
【００１３】
この場合、請求項６の発明のように、フィルム戻り阻止手段を、フィルム戻り防止ローラと、このフィルム戻り防止ローラの一方向のみへの回転を許容するワンウエークラッチから構成するようにしても良く、これによれば、コンパクトで簡単な構成で、フィルムの保持を図ることができる。
【００１４】
請求項７の発明は、加熱室が設けられていることを特徴とするものであり、これによれば、熱盤では熱可塑性フィルムのシールすることができ、加熱室では熱収縮性フィルムで被覆した被包装物の収縮包装が可能であり、総じて、熱可塑性フィルムのフィルム巻回物を使用した包装と、熱収縮性フィルムのフィルム巻回物を使用した包装（シュリンク包装）とが可能となり、実用上極めて便利である。
【００１５】
【発明の実施の形態】
以下、本発明の第１の実施例につき図１ないし図１０を参照して説明する。装置本体１は、左右の本体側板１ａ、１ｂを適宜連結して構成されたものである。図１及び図２において、右方が前で、左方が後ろである。装置本体１の中間部上面部には、作業台２が設けられている。この作業台２は、図３に示すように、その後端部が本体側板１ａ、１ｂ内面に固着された取付片３、３に支軸４、４に回動可能に支持されており、回動により変位可能である。
【００１６】
装置本体１において前記作業台２の下方部には、回転可能な支持ローラ５、６を有して構成された支持部７が設けられており、これにはフィルム巻回物８が配置されている。また、この支持部７の後方部には別の支持部９が設けられており、これは回転可能な支持ローラ９ａ、９ｂを有して構成されている。この支持部９にはフィルム巻回物１０が配置されている。
【００１７】
装置本体１のやや前寄りの部位にはカッタ１１が設けられており、このカッタ１１は内部にヒータ線を配設して構成されていて、いわゆる熱カッタを構成している。このカッタ１１の後部にはフィルムが付着しやすい水平状の付着部１２が取り付けられており、これは表面仕上げ精度の良い金属板から構成されている。この付着部１２は下段にも水平状の補助付着部１２ａが形成されている。
【００１８】
またカッタ１１の前部にはカッタガード１３が設けられている。上記付着部１２の後方空間部がフィルム導出部１４たるものである。さらに、カッタ１１の前方部には熱盤１５が配設されており、これは金属板にヒータ線を配設して構成されている。
【００１９】
一方、前記支持部７の前方にはフィルムガイド部１６が設けられており、このフィルムガイド部１６はガイドローラ１７と、フィルム戻り阻止手段たる阻止ローラ機構１８とを有して構成されている。この阻止ローラ機構１８は前記フィルム導出部１４部分に位置すると共に前記補助付着部１２ａ近傍部に位置する。
【００２０】
この阻止ローラ機構１８は、矢印Ａ方向（フィルム引出方向）への回転は許容しその反対方向の回転は阻止する構成である。
【００２１】
この阻止ローラ機構１８は、図４及び図５に示すように、ローラ軸１９ａにブッシュ２１を介して回転可能に支承されたフィルム戻り防止ローラ１９とワンウエークラッチ２０を備えて構成されている。フィルム戻り防止ローラ１９の一端部内面には、これと一体回転する前記ブッシュ２１が嵌合固着されている。
【００２２】
図示左側のブッシュ２１と嵌合する筒体２２は本体側板１ａにねじ止めされており、ブッシュ２１と筒体２２とには、転動空間部２３を構成する内径面２１ａと外径面２２ａがそれぞれ形成されている。その内径面２１ａと外径面２２ａとは偏心している（偏心距離を図５に符号Ｑｄにて示す）。上記転動空間部２３にはころ２４は転動可能に配置されていて、これは、図５に示すようにフィルム戻り防止ローラ１９が矢印Ｖａ（図１、図２の矢印Ａと同方向）方向に回転するのは許容し、矢印Ｖｂ方向へ回転するのは転動空間部２３がその方向へ楔状となることによって阻止する構成となっている。なお、ストッパ２２ｂはころ２４の移動領域を規制するものである。
【００２３】
図１及び図２において、作業台２の下方（前記支持部１７の上方）には、フィルムガイド部２５が設けられている。このフィルムガイド部２５は、図３、図６及び図８にも示すように、装置本体１に設けたガイドローラ２６と、ガイド本体部２７とを含んで構成されている。ガイド本体部２７は、前記取付片３、３に回動可能に取り付けられた作動フィルムガイド２８にガイドローラ２９、３０、３１を取り付けると共に、フィルム戻り阻止手段たる阻止ローラ機構３２を取り付け、さらに、ロック釦３３、３３を備えた構成である。
【００２４】
作動フィルムガイド２８は左右の側板部２８ａ、２８ｂ間に隔離部材たる隔離板部２８ｃを架設した構成である。この隔離板部２８ｃは、前記作業台２とフィルム巻回物８との間にそれぞれ隙間を形成するように設けられるものであり、隔離板部２８ｃにおいてフィルム１０ａを通す側の面にはフィルム１０ａが付着しないような処理が施されている。
【００２５】
前記阻止ローラ機構３２は図６に示すように作動フィルムガイド２８の左右の側板部２８ａ、２８ｂ間に設けられているが、前記阻止ローラ機構１８と同一構成（軸方向長さは異なる）であるので、説明は省略する。
【００２６】
ロック釦３３部分の構成につき述べる。このロック釦３３は、本体側板１ａ、１ｂから突出するローラ軸１９ａ両端部に、それぞれ矢印Ｂ、Ｃ方向へ移動可能に設けられていて、常時はそれぞれ反矢印Ｂ方向、反矢印Ｃ方向へばねにより付勢されている。この図６の状態では、ロック釦３３の嵌合部３３ａが、本体側板１ａ、１ｂに形成されただるま孔部３４ａ、３４ｂに嵌合していて、ガイド本体部２７を図１に示す位置に保持し、嵌合部３３ａ、３３ａがそれぞれ矢印Ｂ、Ｃ方向へ移動されると、ローラ軸１９ａがだるま孔部３４ａ、３４ｂから脱出することで、ガイド本体部２７全体が上方へ回動可能となる。
【００２７】
前記阻止ローラ機構３２はフィルム導出部１４近傍に位置する。
【００２８】
前記フィルム巻回物８から引き出されたフィルム８ａは、図１及び図２に示すように、フィルムガイド部１６のガイドローラ１７及び阻止ローラ機構１８を通して付着部１２の補助付着部１２ａに付着されている。この状態では、このフィルム巻回物８のフィルム８ａは不使用状態である。
【００２９】
一方、フィルム巻回物１０から引き出されたフィルム１０ａは、フィルムガイド部２５のガイドローラ２６、２９、３０、３１及び阻止ローラ機構３２を通して付着部１２に付着されている。このフィルム１０ａは使用待機状態にある。
【００３０】
しかして、フィルム１０ａを使用して図示しない被包装物を包装する場合には、フィルム導出部１４に位置するフィルム１０ａを摘んで引き出して、作業台２側で被包装物を巻回し、次いで、カッタ１１方向へ移動させてフィルム１０ａを熱溶断し、そして、被包装物の巻回フィルムを熱盤１５にて熱溶着する。
【００３１】
次に、フィルム巻回物８のフィルム８ａを使用して被包装物を包装するには、先のフィルム巻回物１０のフィルム１０ａを図７、図８に示すように、付着部１２から剥がして、阻止ローラ機構３２下方に垂らして（あるいは図７二点差線のようにフィルム１０ａ同士を付着させて）格納状態とした上で、フィルム８ａをフィルム導出部１４から引き出して被包装物の包装、切断及びシールを同様に行う。
【００３２】
ここで、フィルム巻回物８を交換あるいは新たなフィルム巻回物をセットする場合には、フィルムガイド部２５のガイド本体部２７を、図９に示すように、回動により変位させる。すると装置本体１に、フィルム巻回物セット用空間３５が形成される。この場合その空間３５はフィルム導出部１４も含む。
【００３３】
上記空間３５を通して使用済みのフィルム巻回物の取り出し、あるいは新たなフィルム巻回物のセットを行うことができる。しかも、該フィルムガイド部２５のガイド本体部２７は、フィルム１０ａを保持したまま変位するから、フィルム１０ａがフィルムガイド部２５から脱落することもなく、総じてフィルム巻回物の交換あるいはセットを他のフィルム巻回物１０及び引き出されたフィルム１０ａを取外すことなく簡単に行うことができる。
【００３４】
なお、他の支持部９のフィルム巻回物を交換あるいは新たにセットする場合には、図１０に示すように、作業台２を回動させると良い。
【００３５】
このように本実施例によれば、フィルムガイド部２５を変位させて、他の支持部７及びフィルムガイド部１６に対応するフィルム巻回物セット用空間３５を形成する構成としたから、その空間３５を通して使用済みのフィルム巻回物の取り出し、あるいは新たなフィルム巻回物のセットを行うことができ、しかも、該フィルムガイド部２５は、フィルム１０ａを保持したまま変位するから、フィルム１０ａがフィルムガイド部２５から脱落することもなく、総じてフィルム巻回物の交換あるいはセットを他のフィルム巻回物及び引き出されたフィルムを取外すことなく簡単に行うことができる。
【００３６】
また、本実施例によれば、被包装物の置き台やカバーなどに使用される作業台２が存在する場合に、この作業台２の下方部に支持部７を設けたから、フィルム巻回物８をデッドスペースとなりがちな作業台２下方部にセットできて、コンパクト化を図り得る。しかも、この作業台２とフィルムガイド部２５とを回動変位させることにより、フィルム巻回物セット用空間３５を良好に形成することができる。
【００３７】
また、別の支持部９を一つの支持部７の後方に、前後に並ぶ形態に設ける構成としたから、複数のフィルム巻回物を装着可能でありながら装置全体を平型にできて、コンパクト化が図れる。
【００３８】
さらに、フィルムガイド部２５が、当該フィルムガイド部２５にガイドされたフィルム１０ａを、一つの支持部７に支持されたフィルム巻回物８から隔離するための隔離板部２８ｃを備えた構成としたから、フィルムガイド部２５にガイドされたフィルム１０ａが、フィルム巻回物８に付着することを防止でき、特に、フィルム１０ａをフィルム巻回物８のごく近くを通す場合に有効である。
【００３９】
また、フィルムガイド部２５がフィルム１０引出端近くを戻り阻止状態に保持するフィルム戻り阻止手段たる阻止ローラ機構３２を備えているから、フィルムガイド部２５におけるフィルム１０ａの戻りを阻止できて、フィルム保持が確実となる。なお、フィルムガイド部１６も阻止ローラ機構１８を備えているから、このフィルムガイド部１６においてもフィルム保持が確実となる。
【００４０】
この場合、阻止ローラ機構３２、１８を、フィルム戻り防止ローラ１９と、このフィルム戻り防止ローラ１９の一方向のみへの回転を許容するワンウエークラッチ２０とから構成するようにしたから、コンパクトで簡単な構成で、フィルムの保持を図ることができる。
【００４１】
なお上記実施例においては、カッタ１１及び熱盤１５を備えたことで、フィルム巻回物のフィルムとして熱可塑性フィルムが好適する。
【００４２】
図１１及び図１２は本発明の第２の実施例を示しており、この実施例においては、熱収縮性フィルムを巻回したフィルム巻回物の使用にも好適するようにしている。すなわち、前記カッタ１１及び熱盤１５を備える他に、この熱盤１５の下方部に加熱室４１を形成している。この加熱室４１の底部には加熱室用熱盤４２を設けており、これは内部にヒータ線を備えて構成されている。また加熱室４１の奥部には温風循環用の送風手段たる送風機４３が設けられており、この送風機４３は、ケーシング４４及び横流ファン４５を備えて構成されている。
【００４３】
この送風機４３及び加熱室用熱盤４２により加熱室４１内に温風（熱風）を矢印で示すように循環するようになっている。また、前記熱盤１５の前部にはシール用の加熱器４６が設けられている。さらに、加熱室４１の前面には扉４７が設けられている。
【００４４】
図１２には電気的構成を示しており、カッタ１１のヒータ線１１ａ、熱盤１５のヒータ線１５ａ、加熱室用熱盤４２のヒータ線４２ａ、加熱器４６のヒータ線４６ａはそれぞれ温度調節回路４８〜５１により入力電力可変に構成されていて、温度調節ができるようになっている。なお、５２は電源スイッチ、５３は送風機用モータ、５４は電流ヒューズ、５５は電源オン表示器である。
【００４５】
この実施例において、二つのフィルム巻回物のうち一方を、熱可塑性フィルムを巻回したフィルム巻回物とし、他方を、熱収縮性フィルムを巻回したフィルム巻回物としても、良好に被包装物を包装できるものである。つまり、熱可塑性フィルムを巻回したフィルム巻回物を用いた場合には、カッタ１１及び熱盤１５によりフィルムの切断及び溶着（シール）ができる。
【００４６】
また、熱収縮性フィルムを巻回したフィルム巻回物を用いた場合には、カッタ１１によりフィルムの切断をし、熱盤１５により、被包装物包装状態のフィルムの全体的な溶着（シール）をし、加熱器４６により線状の溶着をしてシールの確実性を図り、その後加熱室４１に被包装物を収容して加熱し、熱収縮包装（シュリンク包装）する。
【００４７】
この実施例によれば、熱可塑性フィルムのフィルム巻回物を使用した包装と、熱収縮性フィルムのフィルム巻回物を使用した包装（シュリンク包装）とが可能となり、実用上極めて便利である。また、複数のフィルム巻回物の全部を、熱可塑性フィルムのフィルム巻回物としても良いし、熱収縮性フィルムのフィルム巻回物としても良い。
【００４８】
なお、上記した各実施例では、フィルムガイド部を一対の支持ローラから構成したが、例えばフィルム巻回物の中心（芯）を支持する構成としても良い。また、第２の実施例における温度調節回路は適宜設ければ良い。
【００４９】
【発明の効果】
本発明は以上の説明から明らかなように、複数のフィルム巻回物を備えそのフィルム巻回物を択一的に使用する包装装置において、新たなフィルム巻回物をセットする場合あるいは交換などする場合に、既にセットしてある別のフィルム巻回物及びフィルム引出部分を取外す面倒をなくすことができ、新たにフィルム巻回物のセットあるいは交換を極めて簡単にできるという効果を奏する。
【図面の簡単な説明】
【図１】本発明の第１の実施例を示す全体の破断側面図
【図２】全体の側面図
【図３】図７のＦ−Ｆ線に沿う断面図
【図４】図７のＧ−Ｇ線に沿う断面図
【図５】図４のＩ−Ｉ線に沿う断面図
【図６】図７のＨ−Ｈ線に沿う断面図
【図７】作用説明のための全体の破断側面図
【図８】要部の縦断側面図
【図９】作用説明のための要部の縦断側面図
【図１０】作用説明のための要部の縦断側面図
【図１１】本発明の第２の実施例を示す図１相当図
【図１２】電気回路図
【符号の説明】
１は装置本体、２は作業台、７は支持部、８はフィルム巻回物、９は支持部、１０はフィルム巻回物、１１はカッタ、１４はフィルム導出部、１５は熱盤、１６はフィルムガイド部、１８は阻止ローラ機構（フィルム戻り阻止手段）、１９はフィルム戻り防止ローラ、２０はワンウエークラッチ、２５はガイド部、２７はガイド本体部、３２阻止ローラ機構（フィルム戻り阻止手段）、４１は加熱室、４２は加熱室用熱盤、４３は送風機を示す。
【図１】
2005008356.tif 000003
【図２】
2005008356.tif 000004
【図３】
2005008356.tif 000005
【図４】
2005008356.tif 000006
【図５】
2005008356.tif 000007
【図６】
2005008356.tif 000008
【図７】
2005008356.tif 000009
【図８】
2005008356.tif 000010
【図９】
2005008356.tif 000011
【図１０】
2005008356.tif 000012
【図１１】
2005008356.tif 000013
【図１２】
2005008356.tif 000014